(57)【特許請求の範囲】
【請求項１】
水を加熱する加熱手段を有する加熱容器と、前記加熱容器への給水を制御する給水弁と、前記加熱容器内の水を吐出するポンプと、前記加熱容器内の貯湯量が所定量未満を検知すると給水弁が駆動する湯量検知手段と、前記加熱手段及び前記給水弁を制御する制御手段とを有し、前記制御手段は、前記ポンプが駆動している時には、前記給水弁を駆動させない給湯装置。
【請求項２】
水を加熱する加熱手段を有する加熱容器と、前記加熱容器への給水を制御する給水弁と、前記加熱容器内の水を吐出するポンプと、前記加熱容器内の貯湯量が所定量未満を検知すると給水弁が駆動する湯量検知手段と、前記加熱手段及び前記給水弁を制御する制御手段とを有し、前記制御手段は、前記ポンプが駆動可能な時には、前記給水弁を駆動させない給湯装置。
【請求項３】
水を加熱する加熱手段を有する加熱容器と、前記加熱容器への給水を制御する給水弁と、前記加熱容器内の水を吐出するポンプと、前記加熱容器内の貯湯量が所定量未満を検知すると給水弁が駆動する湯量検知手段と、前記加熱手段及び前記給水弁を制御する制御手段とを有し、前記制御手段は、前記ポンプが停止してから所定時間の間は、前記給水弁を駆動させない給湯装置。
【請求項４】
水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを有し、前記制御手段は、前記加熱手段を加熱中に前記水温検知手段の検知温度が所定温度あるいは、所定勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動しているときには、前記給水湯沸かしモードに移行しない給湯装置。
【請求項５】
水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを有し、前記制御手段は、前記加熱手段を加熱中に前記水温検知手段の検知温度が所定温度あるいは、所定勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動可能な時には、前記給水湯沸かしモードに移行しない給湯装置。
【請求項６】
水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを有し、前記制御手段は、前記加熱手段を加熱中に前記水温検知手段の検知温度が所定温度あるいは、所定勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが停止してから所定時間の間は、前記給水湯沸かしモードに移行しない給湯装置。
【請求項７】
水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱容器内の蒸気を検知する蒸気検知手段と、前記加熱手段及び前記給水弁を制御する制御手段とを有し、前記制御手段は、前記加熱手段を加熱中に前記蒸気検知手段が蒸気を検知した時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動しているときには、前記給水湯沸かしモードに移行しない給湯装置。
【請求項８】
水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱容器内の蒸気を検知する蒸気検知手段と、前記加熱手段及び前記給水弁を制御する制御手段とを有し、前記制御手段は、前記加熱手段を加熱中に前記蒸気検知手段が蒸気を検知した時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動可能な時には、前記給水湯沸かしモードに移行しない給湯装置。
【請求項９】
水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを有し、前記制御手段は、前記加熱手段を加熱中に前記水温検知手段の検知温度が所定温度あるいは、所定温度勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが停止してから所定時間の間は、前記給水湯沸かしモードに移行しない給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来のビルトインタイプの給湯装置は、加熱容器内の貯湯量が第１の所定量未満となると、加熱容器内に給水を行い、第１の所定量より多い第２の所定量になると、給水を停止するという単純な構成であった。
【０００３】
【発明が解決しようとする課題】
しかしながら、上記従来のような構成では、出湯中にも拘わらず、第１の所定量未満となると、加熱容器内に水を給水するので、出湯中の水温が低くなることがあった。
【０００４】
本発明は、上記従来の課題を解決するもので、出湯中には、加熱容器の貯湯量が第１の所定量未満となっても加熱容器内への水の給水を行わないようにして、出湯中の水の温度を下げないことを目的とする。
【０００５】
【課題を解決するための手段】
上記目的を達成するために、本発明の給湯装置は、出湯中においては、加熱容器の貯湯量が第１の所定量未満となっても加熱容器内への水の給水を行わない構成としたものである。
【０００６】
【発明の実施の形態】
請求項１に記載の発明は、水を加熱する加熱手段を有する加熱容器と、前記加熱容器への給水を制御する給水弁と、前記加熱容器内の水を吐出するポンプと、前記加熱容器内の貯湯量が所定量未満を検知すると給水弁が駆動する湯量検知手段と、前記加熱手段及び前記給水弁を制御する制御手段とを備え、前記制御手段は、前記ポンプが駆動している時には、前記給水弁を駆動させない給湯装置である。
【０００７】
この構成によれば、ポンプ駆動による出湯時に、加熱容器内の貯湯量が所定量未満となっても加熱容器内への水の給水を行わないので、出湯時の水温を下げることがない。
【０００８】
請求項２に記載の発明は、水を加熱する加熱手段を有する加熱容器と、前記加熱容器への給水を制御する給水弁と、前記加熱容器内の水を吐出するポンプと、前記加熱容器内の貯湯量が所定量未満を検知すると給水弁が駆動する湯量検知手段と、前記加熱手段及び前記給水弁を制御する制御手段とを備え、前記制御手段は、前記ポンプが駆動可能な時には、前記給水弁を駆動させない給湯装置である。
【０００９】
この構成によれば、ポンプ駆動可能な時に、加熱容器内の貯湯量が所定量未満となっても加熱容器内への水の給水を行わないので、短い時間の断続的な出湯時においても、出湯時の水温を下げることがない。
【００１０】
請求項３に記載の発明は、水を加熱する加熱手段を有する加熱容器と、前記加熱容器への給水を制御する給水弁と、前記加熱容器内の水を吐出するポンプと、前記加熱容器内の貯湯量が所定量未満を検知すると給水弁が駆動する湯量検知手段と、前記加熱手段及び前記給水弁を制御する制御手段とを備え、前記制御手段は、前記ポンプが停止してから所定時間の間は、前記給水弁を駆動させない給湯装置である。
【００１１】
この構成によれば、ポンプ駆動可能な時に、加熱容器内の貯湯量が所定量未満となっても加熱容器内への水の給水を行わないので、長い時間の断続的な出湯時においても、出湯時の水温を下げることがない。
【００１２】
請求項４に記載の発明は、水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを備え、前記制御手段は、前記加熱手段を加熱中に前記水温検知手段の検知温度が所定温度あるいは、所定勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動しているときには、前記給水湯沸かしモードに移行しない給湯装置である。
【００１３】
この構成によれば、保温モード中のポンプ駆動による出湯中は、加熱容器内の貯湯量が所定量未満となっても給水湯沸かしモードに移行しないので、加熱容器内への水の給水は行わない。よって、出湯時の水温を下げることがない。また、給水湯沸かしモード中では、温度検知手段の検知温度が所定温度あるいは所定勾配となった時には、加熱容器内への水の給水を行うので水の給水を止めることによる加熱容器内の水の連続沸騰や主ヒータ停止による主ヒータオンオフ回数を増やさなくてすむ。
【００１４】
請求項５に記載の発明は、水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを備え、前記制御手段は、前記加熱手段を加熱中に前記水温検知手段の検知温度が所定温度あるいは、所定勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動可能な時には、前記給水湯沸かしモードに移行しない給湯装置である。
【００１５】
この構成によれば、保温モード中のポンプ駆動可能中は、加熱容器内の貯湯量が所定量未満となっても給水湯沸かしモードに移行しないので、短い時間の断続的な出湯時においても、加熱容器内への水の給水は行わない。よって、出湯時の水温を下げることがない。また、給水湯沸かしモード中では、温度検知手段の検知温度が所定温度あるいは所定勾配となった時には、加熱容器内への水の給水を行うので水の給水を止めることによる加熱容器内の水の連続沸騰や主ヒータ停止による主ヒータのオンオフ回数を増やさなくてすむ。
【００１６】
請求項６記載の発明は、水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを備え、前記制御手段は、前記加熱手段を加熱中に前記水温検知手段の検知温度が所定温度あるいは、所定勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが停止してから所定時間の間は、前記給水湯沸かしモードに移行しない給湯装置である。
【００１７】
この構成によれば、保温モード中のポンプが停止してから所定時間の間は、加熱容器内の貯湯量が所定量未満となっても給水湯沸かしモードに移行しないので、長い時間の断続的な出湯時においても、加熱容器内への水の給水は行わない。よって、出湯時の水温を下げることがない。また、給水湯沸かしモード中では、温度検知手段の検知温度が所定温度あるいは所定勾配となった時には、加熱容器内への水の給水は行うので水の給水を止めることによる加熱容器内の水の連続沸騰や主ヒータ停止による主ヒータオンオフ回数を増やさなくてすむ。
【００１８】
請求項７記載の発明は、水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱容器内の蒸気を検知する蒸気検知手段と、前記加熱手段及び前記給水弁を制御する制御手段とを備え、前記制御手段は、前記加熱手段を加熱中に前記蒸気検知手段が蒸気を検知した時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動しているときには、前記給水湯沸かしモードに移行しない給湯装置である。
【００１９】
この構成によれば、保温モード中のポンプ駆動による出湯中は、加熱容器内の貯湯量が所定量未満となっても給水湯沸かしモードに移行しないので、加熱容器内への水の給水は行わない。よって、出湯時の水温を下げることがない。また、給水湯沸かしモード中では、蒸気検知手段が蒸気を検知した時には、加熱容器内への水の給水は行うので水の給水を止めることによる加熱容器内の水の連続沸騰や主ヒータ停止による主ヒータオンオフ回数を増やさなくてすむ。
【００２０】
請求項８記載の発明は、水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱容器内の蒸気を検知する蒸気検知手段と、前記加熱手段及び前記給水弁を制御する制御手段とを備え、前記制御手段は、前記加熱手段を加熱中に前記蒸気検知手段が蒸気を検知した時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが駆動可能な時には、前記給水湯沸かしモードに移行しない給湯装置である。
【００２１】
この構成によれば、保温モード中のポンプ駆動可能な時に、加熱容器内の貯湯量が所定量未満となっても給水湯沸かしモードに移行しないので、短い時間の断続的な出湯時においても、加熱容器内への水の給水は行わない。よって、出湯時の水温を下げることがない。また、給水湯沸かしモード中では、蒸気検知手段が蒸気を検知した時には、加熱容器内への水の給水は行うので水の給水を止めることによる加熱容器内の水の連続沸騰や主ヒータ停止による主ヒータオンオフ回数を増やさなくてすむ。
【００２２】
請求項９記載の発明は、水を加熱する加熱手段を有する加熱容器と、前記加熱容器への給水を制御する給水弁と、前記加熱容器内の水を吐出するポンプと、前記加熱容器内の貯湯量を検知する湯量検知手段と、前記加熱容器内の水の温度を検知する水温検知手段と、前記加熱手段及び前記給水弁を制御する制御手段とを備え、前記制御手段は、前記加熱手段を加熱中に前記水温検知手段の検知温度が所定温度あるいは、所定温度勾配となった時に繰り返し前記加熱容器への水を給水する給水湯沸かしモードと、保温動作を行う保温モードとを有し、前記給水湯沸かしモード中に前記湯量検知手段が第１の所定湯量を検知すると前記保温モードに移行し、前記保温モード中に前記湯量検知手段が前記第１の所定貯湯量より少ない第２の所定貯湯量を検知すると前記給水湯沸かしモードに移行するとともに、前記保温モード中に前記ポンプが停止してから所定時間の間は、前記給水湯沸かしモードに移行しない給湯装置である。
【００２３】
この構成によれば、保温モード中のポンプ停止してから所定時間の間は、加熱容器内の貯湯量が所定量未満となっても給水湯沸かしモードに移行しないので、長い時間の断続的な出湯時においても、加熱容器内への水の給水は行わない。よって、出湯時の水温を下げることがない。また、給水湯沸かしモード中では、蒸気検知手段が蒸気を検知した時には、加熱容器内への水の給水は行うので水の給水を止めることによる加熱容器内の水の連続沸騰や主ヒータ停止による主ヒータオンオフ回数を増やさなくてすむ。
【００２４】
【実施例】
以下、本発明の実施例について図面を参照しながら説明する。
【００２５】
（実施例１）
以下、本発明の実施例１について図１〜図３を基に説明する。図１において、１は水道管で、２は分岐栓で、３は止水栓である。４はキッチンユニット５内部に収めれらた給湯装置の加熱ユニットで、内部に水を入れる加熱容器６がある。
【００２６】
水道管１から分岐栓２により分岐した接続管７は、給水弁８を介して浄水カートリッジ９の入り口に取り付けられている。浄水カートリッジ９の出口には、切替弁１０が接続されている。切替弁１０の一方（切替弁がオンしている時）は、加熱容器６の上部に接続されている。加熱容器６の底部には水を加熱する主ヒータ１１と、加熱した水を保温する補助ヒータ１２と、加熱容器６の水温を検出するサーミスタ１３とが取り付けられている。
【００２７】
また、加熱容器６の湯の出口部には、内部の湯をキッチンユニット５上部に吐出させるポンプ１４が取り付けられている。さらに、加熱容器６内には、水位を検知するための水位電極１５が取り付けられている。この電極１５は、加熱容器６の貯湯量が０．３リットル、０．６リットル、０．９リットル、１．２リットル、１．５リットル、１．８リットルでそれぞれ検知できるように水位電極が取り付けられている。本実施例では、加熱容器６の満水量を１．８リットルとしている。１６は、加熱容器６内への給水した水を貯めてゆっくりと加熱容器６内へ水を補充する給水バッファである。
【００２８】
１７はキッチンユニット５の上部に設けられた水栓で、加熱容器６内の湯を導水する湯パイプ１８と、切替弁１０により分岐したもう一方（切替弁がオフしている時）の水パイプ１９と、加熱容器６上部に連通した蒸気パイプ２０とを収納している。そしてこれらの各パイプ１８〜２０および水道栓１ａは、キッチンシンク５ａに臨んで位置している。２１は表示操作部で，水栓１７上部の外面に設けられている。２３はサーミスタ１３及び水位電極１５、表示操作部２１の入力に基づき、給水弁８及び切替弁１０、主ヒータ１１、補助ヒータ１２、ポンプ１４、表示操作部２１を制御するマイクロコンピュータを含む制御手段である。
【００２９】
図２は本実施例の表示操作部２１を示しており、浄水ボタンスイッチ２１ａを押すと給水弁８がオンする。給水弁８がオンすると、水道管１からの水は、浄水カートリッジ９を通過して、切替弁１０がオフとなっているので水パイプ１９を通過して出水する。もう一度、浄水ボタンスイッチ２１ａを押すと、給水弁８がオフして、水パイプ１９からの出水は止まる。
【００３０】
ロック解除ボタンスイッチ２１ｂを押すと、ロック解除ＬＥＤ２１ｃが点灯して出湯可能状態になる。ロック解除ボタンスイッチ２１ｂを押してから１０秒以内に出湯ボタンスイッチ２１ｄを押し続けると、出湯ボタンスイッチ２１ｄを押している間のみ、ポンプ１４が駆動して、加熱容器６内の水を湯パイプ１８から出湯する。押し続けている出湯ボタンスイッチ２１ｄから手を離すと、ポンプ１４がオフして湯バイプ１８からの出湯は止まる。１０秒に、ロック解除ＬＥＤ２１ｃが消灯して、出湯不可能状態となる。また、湯量１のＬＥＤ２１ｅ、湯量２のＬＥＤ２１ｆ、湯量３のＬＥＤ２１ｇは、水位電極１５によって検知した加熱容器６内の貯湯量に応じて変化する。加熱容器６内の貯湯量が０．６リットル未満の場合には、湯量１のＬＥＤ２１ｅが点灯表示する。また、加熱容器６内の貯湯量が０．６リットル以上１．２リットル未満の場合には、湯量１のＬＥＤ２１ｅと湯量２のＬＥＤ２１ｆが点灯表示する。加熱容器６内の貯湯量が１．２リットル以上の場合には、湯量１のＬＥＤ２１ｅ、湯量２のＬＥＤ２１ｆ、湯量３のＬＥＤ２１ｇが点灯表示する。
【００３１】
図３はポンプ回りの電器回路図を示しており、ロック解除ボタンスイッチ２１ｄを押すとロック解除ＬＥＤ２１ｃが点灯表示に切り替わるとともにＮＰＮトランジスタがオンして、ポンプ１４がいつでも駆動できる状態になる。その後、出湯ボタンスイッチ２１ｄを押している間のみ、ポンプ１４が駆動して、加熱容器６内の水を湯パイプ１８より吐出する。このように、出湯ボタンスイッチ２１ｄの構成をこのようなトランジスタ駆動とスイッチとの直接駆動にすることで、マイクロコンピュータの暴走による自然出湯を避けることができる。
【００３２】
上記した実施例における実際の動作について、図１〜図３を参照しながら説明する。電源スイッチをオンすると、切替弁１０がオンした後、給水弁８がオンする。すると水は、水道管１から浄水カートリッジ９を通過した後、切替弁１０によって加熱容器６に貯水していく。水位電極１５により貯水量が０．３リットルに達すると、給水弁８と切替弁１０をオフして加熱容器６内への貯水は止まる。その後、主ヒータ１１と補助ヒータ１２をオンして、加熱容器６内の水を加熱する（この動作のモードを初回湯沸かしモードと呼ぶ）。また、この初回湯沸かしモード中には、出湯動作は行えない。サーミスタ１３の検知温度が９５℃以上に達すると、再度、切替弁１０と給水弁８を５秒間駆動して、加熱容器６内に少量の水を給水する。サーミスタ１３の検知温度が下がり、その後サーミスタ１３の検知温度が９３℃以上に達すると、再度、切替弁１０と給水弁８を５秒間駆動して、加熱容器６内に少量の水を給水する。水位電極１５の検知貯水量が１．８リットルに達すまでこれらの動作を繰り返す（この動作のモードを給水湯沸かしモードと呼ぶ）。その後、主ヒータ１１と補助ヒータ１２をオフして、サーミスタ１３の検知温度が９２℃未満となると、補助ヒータ１２をオンして加熱容器６内のお湯を高温保温するようになっている（この動作を保温モードと呼ぶ）。
【００３３】
保温モードからロック解除ボタンスイッチ２１ｂを押して、出湯可能状態にしてから、出湯ボタンスイッチ２１ｄを押して出湯を行い、水位電極１５によって検知した加熱容器６内の貯湯量が０リットルを検知するまで、加熱容器６内への給水を行わない。加熱容器６内の貯湯量が０リットルを検知すると、出湯不可能状態に戻り、初回湯沸かしモードに移行する。また、出湯停止後、加熱容器６内の貯湯量が１．２リットル未満を検知すると、給水湯沸かしモードに移行して、主ヒータ１１と補助ヒータ１２を駆動して、給水湯沸かしモードに移行する。
【００３４】
次に、給水湯沸かしモードからロック解除ボタンスイッチ２１ｂを押して、出湯可能状態にしてから、出湯ボタンスイッチ２１ｄを押して出湯を行っている間は、サーミスタ１３の検知温度が９３℃以上に達しても、加熱容器６内への給水を行わず、主ヒータ１１をオフして、加熱容器６内の水の連続沸騰を防止する。その後、水位電極１５によって検知した加熱容器６内の貯湯量が０リットルを検知すると、出湯不可能状態に戻り、初回湯沸かしモードに移行する。
【００３５】
このように出湯中の加熱容器６内への水の給水動作を停止することで、出湯時の水温の低下を抑えることができる。また、給水湯沸かしモード中では、主ヒータ１１を停止することで、加熱容器６内の水の連続沸騰をさけることもできる。ここで、加熱容器６内の水の連続沸騰が起こると、ポンプ１４のスクリュー部分に水蒸気の泡がからみ、出湯量が低下する現象（キャビテーション）が発生する。
【００３６】
（実施例２）
以下、本発明の実施例２について図１〜３を参照しながら説明する。図において実施例１と同一の構成要素については同じ符号を付し説明を省略する。
【００３７】
上記した実施例における実際の動作について、図１〜図３を参照しながら説明する。電源スイッチをオンすると、切替弁１０がオンした後、給水弁８がオンする。すると水は、水道管１から浄水カートリッジ９を通過した後、切替弁１０によって加熱容器６に貯水していく。水位電極１５により貯水量が０．３リットルに達すると、給水弁８と切替弁１０をオフして加熱容器６内への貯水は止まる。その後、主ヒータ１１と補助ヒータ１２をオンして、加熱容器６内の水を加熱する（この動作のモードを初回湯沸かしモードと呼ぶ）。また、この初回湯沸かしモード中には、出湯動作は行えない。
【００３８】
サーミスタ１３の検知温度勾配が１℃上昇に３０秒以上必要となったときに、再度、切替弁１０と給水弁８を５秒間駆動して、加熱容器６内に少量の水を給水する。サーミスタ１３の検知温度が下がり、その１分後にサーミスタ１３の検知温度勾配が同じく１℃上昇に３０秒以上必要となると、再度、切替弁１０と給水弁８を５秒間駆動して、加熱容器６内に少量の水を給水する。水位電極１５の検知貯水量が１．８リットルに達すまでこれらの動作を繰り返す（この動作のモードを給水湯沸かしモードと呼ぶ）。
【００３９】
その後、主ヒータ１１と補助ヒータ１２をオフして、サーミスタ１３の検知温度が９２℃未満となると、補助ヒータ１２をオンして加熱容器６内のお湯を高温保温するようになっている（この動作を保温モードと呼ぶ）。
【００４０】
保温モードからロック解除ボタンスイッチ２１ｂを押して、出湯可能状態にしている間は、水位電極１５によって検知した加熱容器６内の貯湯量が０リットルを検知するまで、加熱容器６内への給水を行わない。加熱容器６内の貯湯量が０リットルを検知すると、出湯不可能状態に戻り、初回湯沸かしモードに移行する。また、出湯不可能状態に戻り、加熱容器６内の貯湯量が１．２リットル未満を検知すると、給水湯沸かしモードに移行して、主ヒータ１１と補助ヒータ１２を駆動して、給水湯沸かしモードに移行する。
【００４１】
次に、給水湯沸かしモードからロック解除ボタンスイッチ２１ｂを押して、出湯可能状態になっている間は、サーミスタ１３の検知温度勾配が同じく１℃上昇に３０秒以上必要となっても、加熱容器６内への給水を行わず、主ヒータ１１をオフして、加熱容器６内の水の連続沸騰を防止する。その後、水位電極１５によって検知した加熱容器６内の貯湯量が０リットルを検知すると、出湯不可能状態に戻り、初回湯沸かしモードに移行する。
【００４２】
このように出湯可能状態の間、加熱容器６内への水の給水動作を停止することで、出湯時の水温の低下を抑えることができる。また、出湯が短い時間に何回か繰り返されても、出湯可能状態である限りでは、加熱容器６内への給水は行われないので、その間の出湯時の水温を下げることはない。また、給水湯沸かしモード中では、主ヒータ１１を停止することで、加熱容器６内の水の連続沸騰をさけることもできる。
【００４３】
（実施例３）
以下、本発明の実施例３について図２〜図４を参照しながら説明する。図４において実施例１と同一の構成要素については同じ符号を付し説明を省略する。図４の２４は、加熱容器６内の蒸気を検知する第２のサーミスタ２４である。
【００４４】
上記した実施例における実際の動作について、図２〜図４を参照しながら説明する。電源スイッチをオンすると、切替弁１０がオンした後、給水弁８がオンする。すると水は、水道管１から浄水カートリッジ９を通過した後、切替弁１０によって加熱容器６に貯水していく。水位電極１５により貯水量が０．３リットルに達すると、給水弁８と切替弁１０をオフして加熱容器６内への貯水は止まる。その後、主ヒータ１１と補助ヒータ１２をオンして、加熱容器６内の水を加熱する（この動作のモードを初回湯沸かしモードと呼ぶ）。また、この初回湯沸かしモード中には、出湯動作は行えない。
【００４５】
第２のサーミスタ２４の検知温度勾配が１℃上昇が２秒未満となったときに、再度、切替弁１０と給水弁８を５秒間駆動して、加熱容器６内に少量の水を給水する。第２のサーミスタ２４の検知温度が下がり、その１分後に第２のサーミスタ２４の検知温度勾配が同じく１℃上昇が２秒未満となると、再度、切替弁１０と給水弁８を５秒間駆動して、加熱容器６内に少量の水を給水する。水位電極１５の検知貯水量が１．８リットルに達すまでこれらの動作を繰り返す（この動作のモードを給水湯沸かしモードと呼ぶ）。
【００４６】
その後、主ヒータ１１と補助ヒータ１２をオフして、第１のサーミスタ１３の検知温度が９２℃未満となると、補助ヒータ１２をオンして加熱容器６内のお湯を高温保温するようになっている（この動作を保温モードと呼ぶ）。
【００４７】
保温モードからロック解除ボタンスイッチ２１ｂを押して、出湯可能状態になって出湯ボタンスイッチ２１ｄを押して出湯を行い、その後、出湯ボタンスイッチ２１ｄを離して１０秒間の間は、ロック解除ＬＥＤ２１ｃが点灯していて、ロック解除ＬＥＤ２１ｃが消灯して１０秒間の間は、水位電極１５によって検知した加熱容器６内の貯湯量が０リットルを検知するまで、加熱容器６内への給水を行わない。加熱容器６内の貯湯量が０リットルを検知すると、出湯不可能状態に戻り、初回湯沸かしモードに移行する。また、出湯不可能状態から１０秒後に、加熱容器６内の貯湯量が１．２リットル未満を検知すると、給水湯沸かしモードに移行する。
【００４８】
次に、給水湯沸かしモードからロック解除ボタンスイッチ２１ｂを押して、出湯可能状態になって出湯ボタンスイッチ２１ｄを押して出湯を行い、その後、出湯ボタンスイッチ２１ｄを離して１０秒間の間は、ロック解除ＬＥＤ２１ｃが点灯していて、ロック解除ＬＥＤ２１ｃが消灯して１０秒間の間に、第２のサーミスタ２４の検知温度勾配が同じく１℃上昇が２秒未満となっても、加熱容器６内への水の給水を行わず、主ヒータ１１をオフして、加熱容器６内の水の連続沸騰を防止する。その後、水位電極１５によって検知した加熱容器６内の貯湯量が０リットルを検知すると、出湯不可能状態に戻り、初回湯沸かしモードに移行する。
【００４９】
このように出湯不可能状態になってから１０秒間は、加熱容器６内への水の給水動作を停止することで、出湯時の水温の低下を抑えることができる。また、出湯間隔が２０秒以内の動作に於いても、加熱容器６内への給水は行われないので、その間の出湯時の水温を下げることはない。また、給水湯沸かしモード中では、主ヒータ１１を停止することで、加熱容器６内の水の連続沸騰をさけることもできる。
【００５０】
（実施例４）
以下、本発明の実施例４について図２〜図４を参照しながら説明する。図４において実施例３と同一の構成要素については同じ符号を付し説明を省略する。
【００５１】
上記した実施例における実際の動作について、図２〜図４を参照しながら説明する。電源スイッチをオンすると、切替弁１０がオンした後、給水弁８がオンする。すると水は、水道管１から浄水カートリッジ９を通過した後、切替弁１０によって加熱容器６に貯水していく。水位電極１５により貯水量が０．３リットルに達すると、給水弁８と切替弁１０をオフして加熱容器６内への貯水は止まる。その後、主ヒータ１１と補助ヒータ１２をオンして、加熱容器６内の水を加熱する（この動作のモードを初回湯沸かしモードと呼ぶ）。また、この初回湯沸かしモード中には、出湯動作は行えない。
【００５２】
第１のサーミスタ１３の検知温度が９５℃以上に達したり、第２のサーミスタ２４の検知温度勾配が１℃上昇が２秒未満となったときに、再度、切替弁１０と給水弁８を５秒間駆動して、加熱容器６内に少量の水を給水する。１分後に第１のサーミスタ１３の検知温度が９３℃に達したり、第２のサーミスタ２４の検知温度勾配が同じく１℃上昇が２秒未満となると、再度、切替弁１０と給水弁８を５秒間駆動して、加熱容器６内に少量の水を給水する。水位電極１５の検知貯水量が１．８リットルに達すまでこれらの動作を繰り返す（この動作のモードを給水湯沸かしモードと呼ぶ）。
【００５３】
その後、主ヒータ１１と補助ヒータ１２をオフして、第１のサーミスタ１３の検知温度が９２℃未満となると、補助ヒータ１２をオンして加熱容器６内のお湯を高温保温するようになっている（この動作を保温モードと呼ぶ）。
【００５４】
保温モードからロック解除ボタンスイッチ２１ｂを押して、出湯可能状態から出湯ボタンスイッチ２１ｄを押して出湯している間は、水位電極１５によって検知した加熱容器６内の貯湯量が０リットルを検知するまで、加熱容器６内への水の給水を行わない。加熱容器６内の貯湯量が０リットルを検知すると、出湯不可能状態に戻り、初回湯沸かしモードに移行する。また、出湯ボタンスイッチ２１ｄを離して出湯停止にしてから、加熱容器６内の貯湯量が１．２リットル未満を検知すると初回湯沸かしモードに移行して、主ヒータ１１と補助ヒータ１２を駆動して、給水湯沸かしモードに移行する。
【００５５】
次に、給水湯沸かしモードからロック解除ボタンスイッチ２１ｂを押して、出湯可能状態になってから、出湯ボタンスイッチ２１ｄを押している間に、第１のサーミスタ１３の検知温度が９３℃以上に達したり、第２のサーミスタ２４の検知温度勾配が同じく１℃上昇が２秒未満となると、加熱容器６内への水の給水は、通常通り行われる。
【００５６】
このように給水湯沸かしモード中では、出湯している間の加熱容器６内への給水動作を停止しないでいることで、水の給水を停止することによる加熱容器６内の水の連続沸騰や連続沸騰を避けるための主ヒータ１１のオンオフ回数を増やさない効果がある。また、保温モード中では、出湯している間の加熱容器６内への水の給水動作を停止することで、出湯中の水温を下げない効果がある。
【００５７】
（実施例５）
以下、本発明の実施例５について図２〜図４を参照しながら説明する。保温モードからロック解除ボタンスイッチ２１ｂを押して、出湯可能状態になっている間は、水位電極１５によって検知した加熱容器６内の貯湯量が０リットルを検知するまで、加熱容器６内への給水を行わない。加熱容器６内の貯湯量が０リットルを検知すると、出湯不可能状態に戻り、初回湯沸かしモードに移行する。また、出湯不可能状態に戻り、加熱容器６内の貯湯量が１．２リットル未満を検知すると、給水湯沸かしモードに戻り、加熱容器６内への水の給水は行われる。
【００５８】
次に、給水湯沸かしモードからロック解除ボタンスイッチ２１ｂを押して、出湯可能状態になっている間に、第１のサーミスタ１３の検知温度が９３℃以上に達したり、第２のサーミスタ２４の検知温度勾配が同じく１℃上昇が２秒未満となると、加熱容器６内への水の給水は、通常通り行われる。
【００５９】
このように給水湯沸かしモード中では、出湯可能状態になっている間の加熱容器６内への水の給水動作を停止しないことで、水の給水を停止することによる加熱容器６内の水の連続沸騰や連続沸騰を避けるための主ヒータ１１のオンオフ回数を増やさない効果がある。また、保温モード中では、出湯可能状態になっている間の加熱容器６内への水の給水動作を停止することで、出湯が短い時間に何回か繰り返されても、出湯可能状態である限りでは、出湯時の水温を下げない効果がある。
【００６０】
（実施例６）
以下、本発明の実施例６について図２〜図４を参照しながら説明する。保温モードからロック解除ボタンスイッチ２１ｂを押して、出湯可能状態になって出湯ボタンスイッチ２１ｄを押して出湯行い、その後、出湯ボタンスイッチ２１ｄを離して１０秒間の間は、ロック解除ＬＥＤ２１ｃが点灯していて、ロック解除ＬＥＤ２１ｃが消灯して１０秒間の間は、水位電極１５によって検知した加熱容器６内の貯湯量が０リットルを検知するまで、加熱容器６内への給水を行わない。加熱容器６内の貯湯量が０リットルを検知すると、出湯不可能状態に戻り、初回湯沸かしモードに移行する。また、出湯不可能状態から１０秒後に、加熱容器６内の貯湯量が１．２リットル未満を検知すると、給水湯沸かしモードに戻り、加熱容器６内への水の給水は行われる。
【００６１】
次に、給水湯沸かしモードからロック解除ボタンスイッチ２１ｂを押して、出湯可能状態になって出湯ボタンスイッチ２１ｄを押して出湯行い、その後、出湯ボタンスイッチ２１ｄを離して１０秒間の間は、ロック解除ＬＥＤ２１ｃが点灯していて、ロック解除ＬＥＤ２１ｃが消灯して１０秒間の間に、第１のサーミスタ１３の検知温度が９３℃以上に達したり、第２のサーミスタ２４の検知温度勾配が同じく１℃上昇が２秒未満となると、加熱容器６内への水の給水は、通常通り行われる。
【００６２】
このように給水湯沸かしモード中では、出湯不可能状態から１０秒間は、加熱容器６内への水の給水動作を停止しないことで、給水を停止することによる加熱容器６内の水の連続沸騰や連続沸騰を避けるための主ヒータ１１のオンオフ回数を増やさない効果がある。また、保温モード中では出湯不可能状態から１０秒間は、加熱容器６内への水の給水動作を停止することで、その間の出湯時の水温を下げない効果がある。
【００６３】
【発明の効果】
以上のように本発明によれば、出湯中の加熱容器内への給水タイミングを変えることで、出湯時の出温度低下を極力抑えることができる。
【図面の簡単な説明】
【図１】本発明の実施例１及び２における給湯装置の断面図
【図２】本発明の実施例１〜６における給湯装置の表示操作部の平面図
【図３】本発明の実施例１〜６における給湯装置のポンプ回りの電気回路図
【図４】本発明の実施例３〜６における給湯装置の断面図
【符号の説明】
１  水道管
４  加熱ユニット
６  加熱容器
８  給水弁
１０  切替弁
１１  主ヒータ
１２  補助ヒータ
１３  サーミスタ
１４  ポンプ
１５  水位電極
２１  表示操作部
２３  制御手段
２４  第２のサーミスタ
【図１】
0003599026.tif 000002
【図２】
0003599026.tif 000003
【図３】
0003599026.tif 000004
【図４】
0003599026.tif 000005